(57)【要約】【課題】自動車に搭載される車載用のオーディオシステムに関し、特に、音楽情報に対応させて画像情報をモニタに表示することができる車載用のオーディオシステムを提供する。【解決手段】音楽情報データベース７１０内の音楽情報と、画像情報データベース７２０の画像情報とを照合させて、音楽記録再生部２１０による音楽の再生と、画像記録再生部２２０による画像情報の再生とを同時におこなう音楽対応画像設定部４３０と、自車両による走行領域を探索するとともに、走行領域を取得する走行領域判定部５００とを備え、音楽対応画像設定部４３０による設定は、走行領域判定部５００により取得された自車両の走行領域に基づいておこなう。【選択図】        図１
2005339698.tif 000002
【特許請求の範囲】
【請求項１】
自車両に搭載されるとともに、所定の音楽情報を再生する音楽再生手段と、所定の画像情報を再生する画像再生手段とを備えた車載用のオーディオシステムであって、
前記車載用のオーディオシステムは、前記音楽再生手段により再生された音楽情報に対応した画像情報を表示するモニタを有する車載用のオーディオ装置を備え、
前記車載用のオーディオ装置は、
第一の識別ＩＤに関連付けられるとともに、複数の音楽情報が記憶された音楽情報データベースと、
第二の識別ＩＤに関連付けられるとともに、複数の画像情報が記憶された画像情報データベースと、
前記第一の識別ＩＤと前記第二の識別ＩＤとの照合により、前記音楽情報データベース内の音楽情報と、画像情報データベース内の画像情報とを照合させて、前記音楽再生手段による音楽の再生と、前記画像再生手段による画像情報の再生とを同時におこなう音楽対応画像設定手段と、
前記自車両による走行領域を探索するとともに、当該走行領域を取得する走行領域取得手段とを備え、前記音楽対応画像設定手段による設定は、前記走行領域取得手段により取得された自車両の走行領域に基づいておこなうことを特徴とする車載用のオーディオシステム。
【請求項２】
前記車載用のオーディオ装置は、前記モニタに表示される画像情報の切換えをおこなう画像情報切換え手段を備え、前記走行領域取得手段により取得された走行領域の変更時には、前記音楽情報に対応する画像情報の切り換えをおこなうことを特徴とする請求項１に記載の車載用のオーディオシステム。
【請求項３】
前記音楽対応画像設定手段は、自車両の走行時の走行時間帯を取得する走行時間帯取得手段を備え、当該走行時間帯取得手段により取得された車両の走行時間帯に基づいて、前記音楽情報に対する前記画像情報の再生を制御することを特徴とする請求項１または２に記載の車載用のオーディオシステム。
【請求項４】
前記音楽対応画像設定手段は、自車両の運転者による音声を認識する音声認識手段を備え、当該前記音声認識手段により認識された認識情報に基づいて、前記音楽情報に対する前記画像情報の再生を制御することを特徴とする請求項１または２に記載の車載用のオーディオシステム。
【請求項５】
前記音楽対応画像設定手段は、前記音楽情報データベース内の音楽情報の再生時に、再生された音楽情報の識別ＩＤを認識する音楽情報認識手段を備え、当該音楽情報認識手段により認識された音楽情報に基づいて、設定された画像情報の再生をおこなうことを特徴とする請求項１または２に記載の車載用のオーディオ装置。
【請求項６】
前記音楽対応画像設定手段は、自車両の走行領域における渋滞情報を取得する渋滞情報取得手段を備え、当該渋滞情報取得手段により取得された渋滞情報に基づいて、前記音楽情報に対する前記画像情報の再生を制御することを特徴とする請求項１または２に記載の車載用のオーディオシステム。
【請求項７】
前記音楽対応画像設定手段は、自車両の走行時の走行速度を取得する走行速度取得手段を備え、当該走行速度取得手段により取得された自車両の走行速度に基づいて、前記音楽情報に対する前記画像情報の再生を制御することを特徴とする請求項１または２に記載の車載用のオーディオシステム。
【請求項８】
前記音楽情報データベースは、複数の音楽情報のジャンルに基づいて、分類されて格納されることを特徴とする請求項１〜７のいずれか一つに記載の車載用のオーディオシステム。
【請求項９】
前記画像情報データベースは、複数の画像情報のジャンルに基づいて、分類されて格納されることを特徴とする請求項１〜７のいずれか一つに記載の車載用のオーディオシステム。
【請求項１０】
走行経路を設定するナビゲーションシステムをさらに備え、前記走行領域は、ナビゲーションシステムにより設定された走行目的地に基づいた走行領域であることを特徴とする請求項１〜７のいずれか一つに記載の車載用のオーディオシステム。
【発明の詳細な説明】
【技術分野】
【０００１】
この発明は、自動車に搭載される車載用のオーディオシステムに関し、特に、車載用オーディオ装置において、自車両のユーザ（運転者）が選択した音楽と対応した画像をモニタに表示することができる車載用のオーディオシステムに関するものである。
【背景技術】
【０００２】
従来から、車載用のオーディオ装置による音楽の再生中に、選択された音楽の再生トラック番号、音楽のタイトル名、アルバム名、アーティスト名などをモニタに表示できる車載用のオーディオシステムが知られている。さらに、近年では、車載用のオーディオ装置に備えた通信装置により、インターネットや電子メールなどで画像情報（映像）を取得し、この取り込んだ画像を音楽を聴きながらモニタに表示させることができる技術が知られている。
【０００３】
また、この種の車載用のオーディオシステムに関する従来技術としては、例えば、特許文献１には、音楽情報や映像情報に予め識別ＩＤを付与し、この付与された識別ＩＤに基づいて、好みの音楽に対応する映像情報を入手する映像メディア（ＣＤ、ＤＶＤ）の配信制御技術が、また、特許文献２には、選択するファイルを同一（識別子を変える）にして、音楽情報と画像情報とをリンクさせる技術が、特許文献３には、映像情報から再生対象となる楽曲に対応する映像情報を特定し、再生をおこなうオーディオ技術がそれぞれ記載されている。
【０００４】
【特許文献１】特開２００２−３４２６２１号公報
【特許文献２】特開平１１−２７５５０３号公報
【特許文献２】特開２００２−２０４４３２号公報
【発明の開示】
【発明が解決しようとする課題】
【０００５】
ところが、上述した従来の車載用のオーディオシステムの場合には、以下に示すような問題がある。すなわち、前述したように、従来の車載用のオーディオシステムによるオーディオ装置では、グラフィックイコライザなどにより音楽のボリュームなどに合わせて、モニタによる表示を変化させたり、インターネットなどによる画像情報の取得により、音楽を聴きながら好みの画像をモニタに表示させることができるが、音楽情報と画像情報との対応付けは、特に、ユーザの環境などに応じて変化するものでないため、ユーザ（運転者）が必要とする好みの画像を自動的に表示することはできなかったという問題がある。
【０００６】
この発明は、上述した従来技術における課題を解決するためになされたものであり、自動車に搭載される車載用のオーディオシステム装置に関し、特に、ユーザ（運転者）が遭遇している状況や環境などに適切に対応した画像情報（映像情報）をモニタに表示することができる車載用のオーディオシステムを提供することを目的とする。
【課題を解決するための手段】
【０００７】
上述した課題を解決し、目的を達成するために、請求項１に記載の発明は、自車両に搭載されるとともに、所定の音楽情報を再生する音楽再生手段と、所定の画像情報を再生する画像再生手段とを備えた車載用のオーディオシステムであって、前記車載用のオーディオシステムは、前記音楽再生手段により再生された音楽情報に対応した画像情報を表示するモニタを有する車載用のオーディオ装置を備え、前記車載用のオーディオ装置は、第一の識別ＩＤに関連付けられるとともに、複数の音楽情報が記憶された音楽情報データベースと、第二の識別ＩＤに関連付けられるとともに、複数の画像情報が記憶された画像情報データベースと、前記第一の識別ＩＤと前記第二の識別ＩＤとの照合により、前記音楽情報データベース内の音楽情報と、画像情報データベース内の画像情報とを統合させて、前記音楽再生手段による音楽の再生と、前記画像再生手段による画像情報の再生とを同時におこなう音楽対応画像設定手段と、前記自車両による走行領域を探索するとともに、当該走行領域を取得する走行領域取得手段とを備え、前記音楽対応画像設定手段による設定は、前記走行領域取得手段により取得された自車両の走行領域に基づいておこなうことを特徴とする。
【０００８】
この請求項１に記載の発明によれば、自車両に搭載されるとともに、所定の音楽情報を再生する音楽再生手段と、所定の画像情報を再生する画像再生手段とを備えた車載用のオーディオシステムであって、前記車載用のオーディオシステムは、前記音楽再生手段により再生された音楽情報に対応した画像情報を表示するモニタを有する車載用のオーディオ装置を備え、前記車載用のオーディオ装置は、第一の識別ＩＤに関連付けられるとともに、複数の音楽情報が記憶された音楽情報データベースと、第二の識別ＩＤに関連付けられるとともに、複数の画像情報が記憶された画像情報データベースと、前記第一の識別ＩＤと前記第二の識別ＩＤとの照合により、前記音楽情報データベース内の音楽情報と、画像情報データベース内の画像情報とを統合させて、前記音楽再生手段による音楽の再生と、前記画像再生手段による画像情報の再生とを同時におこなう音楽対応画像設定手段と、前記自車両による走行領域を探索するとともに、当該走行領域を取得する走行領域取得手段とを備え、前記音楽対応画像設定手段による設定は、前記走行領域取得手段により取得された自車両の走行領域に基づいておこなう。
【０００９】
また、請求項２に記載の発明は、請求項１に記載の発明において、前記車載用のオーディオ装置は、前記モニタに表示される画像情報の切換えをおこなう画像情報切換え手段を備え、前記走行領域取得手段により取得された走行領域の変更時には、前記音楽情報に対応する画像情報の切り換えをおこなうことを特徴とする。
【００１０】
この請求項２に記載の発明によれば、前記車載用のオーディオ装置は、前記モニタに表示される画像情報の切換えをおこなう画像情報切換え手段を備え、前記走行領域取得手段により取得された走行領域の変更時には、前記音楽情報に対応する画像情報の切り換えをおこなう。
【００１１】
また、請求項３に記載の発明は、請求項１または２に記載の発明において、前記音楽対応画像設定手段は、自車両の走行時の走行時間帯を取得する走行時間帯取得手段を備え、当該走行時間帯取得手段により取得された車両の走行時間帯に基づいて、前記音楽情報に対する前記画像情報の再生を制御することを特徴とする。
【００１２】
この請求項３に記載の発明によれば、前記音楽対応画像設定手段は、自車両の走行時の走行時間帯を取得する走行時間帯取得手段を備え、当該走行時間帯取得手段により取得された車両の走行時間帯に基づいて、前記音楽情報に対する前記画像情報の再生を制御する。
【００１３】
また、請求項４に記載の発明は、前記音楽対応画像設定手段は、自車両の運転者による音声を認識する音声認識手段を備え、当該前記音声認識手段により認識された認識情報に基づいて、前記音楽情報に対する前記画像情報の再生を制御することを特徴とする。
【００１４】
この請求項４に記載の発明によれば、前記音楽対応画像設定手段は、自車両の運転者による音声を認識する音声認識手段を備え、当該前記音声認識手段により認識された認識情報に基づいて、前記音楽情報に対する前記画像情報の再生を制御する。
【００１５】
また、請求項５に記載の発明は、前記音楽対応画像設定手段は、前記音楽情報データベース内の音楽情報の再生時に、再生された音楽情報の識別ＩＤを認識する音楽情報認識手段を備え、当該音楽情報認識手段により認識された音楽情報に基づいて、設定された画像情報の再生をおこなうことを特徴とする。
【００１６】
この請求項５に記載の発明によれば、前記音楽対応画像設定手段は、前記音楽情報データベース内の音楽情報の再生時に、再生された音楽情報の識別ＩＤを認識する音楽情報認識手段を備え、当該音楽情報認識手段により認識された音楽情報に基づいて、設定された画像情報の再生をおこなう。
【００１７】
また、請求項６に記載の発明は、請求項１または２に記載の発明において、前記音楽対応画像設定手段は、自車両の走行領域における渋滞情報を取得する渋滞情報取得手段を備え、当該渋滞情報取得手段により取得された渋滞情報に基づいて、前記音楽情報に対する前記画像情報の再生を制御することを特徴とする。
【００１８】
この請求項６に記載の発明によれば、前記音楽対応画像設定手段は、自車両の走行領域における渋滞情報を取得する渋滞情報取得手段を備え、当該渋滞情報取得手段により取得された渋滞情報に基づいて、前記音楽情報に対する前記画像情報の再生を制御する。
【００１９】
また、請求項７に記載の発明は、請求項１または２に記載の発明において、前記音楽対応画像設定手段は、自車両の走行時の走行速度を取得する走行速度取得手段を備え、当該走行速度取得手段により取得された自車両の走行速度に基づいて、前記音楽情報に対する前記画像情報の再生を制御することを特徴とする。
【００２０】
この請求項７に記載の発明によれば、前記音楽対応画像設定手段は、自車両の走行時の走行速度を取得する走行速度取得手段を備え、当該走行速度取得手段により取得された自車両の走行速度に基づいて、前記音楽情報に対する前記画像情報の再生を制御する。
【００２１】
また、請求項８に記載の発明は、請求項１〜７のいずれか一つに記載の発明において、音楽情報データベースは、複数の音楽情報のジャンルに基づいて、分類されて格納されることを特徴とする。
【００２２】
この請求項８に記載の発明によれば、音楽情報データベースは、複数の音楽情報のジャンルに基づいて、分類されて格納される。
【００２３】
また、請求項９に記載の発明は、請求項１〜７のいずれか一つに記載の発明において、画像情報データベースは、複数の画像情報のジャンルに基づいて、分類されて格納されることを特徴とする。
【００２４】
この請求項９に記載の発明によれば、画像情報データベースは、複数の画像情報のジャンルに基づいて、分類されて格納される。
【００２５】
また、請求項１０に記載の発明は、請求項１〜７のいずれか一つに記載の発明において、走行経路を設定するナビゲーションシステムをさらに備え、前記走行領域は、ナビゲーションシステムにより設定された走行目的地に基づいた走行領域であることを特徴とする。
【００２６】
この請求項１０に記載の発明によれば、走行経路を設定するナビゲーションシステムをさらに備えており、前記走行領域は、ナビゲーションシステムにより設定された走行目的地に基づいた走行領域であるとしている。
【発明の効果】
【００２７】
請求項１に記載の発明によれば、自車両に搭載されるとともに、所定の音楽情報を再生する音楽再生手段と、所定の画像情報を再生する画像再生手段とを備えた車載用のオーディオシステムであって、前記車載用のオーディオシステムは、前記音楽再生手段により再生された音楽情報に対応した画像情報を表示するモニタを有する車載用のオーディオ装置を備え、前記車載用のオーディオ装置は、第一の識別ＩＤに関連付けられるとともに、複数の音楽情報が記憶された音楽情報データベースと、第二の識別ＩＤに関連付けられるとともに、複数の画像情報が記憶された画像情報データベースと、前記第一の識別ＩＤと前記第二の識別ＩＤとの照合により、前記音楽情報データベース内の音楽情報と、画像情報データベース内の画像情報とを統合させて、前記音楽再生手段による音楽の再生と、前記画像再生手段による画像情報の再生とを同時におこなう音楽対応画像設定手段と、前記自車両による走行領域を探索するとともに、当該走行領域を取得する走行領域取得手段とを備え、前記音楽対応画像設定手段による設定は、前記走行領域取得手段により取得された自車両の走行領域に基づいておこなうので、ユーザ（運転者）が車内で音楽を聴く際に、ユーザ（運転者）の運転状況や自車両の走行環境に適切に対応したイメージ通りの画像をモニタに表示することができるという効果を奏する。
【００２８】
また、請求項２に記載の発明によれば、前記車載用のオーディオ装置は、前記モニタに表示される画像情報の切換えをおこなう画像情報切換え手段を備え、前記走行領域取得手段により取得された走行領域の変更時には、前記音楽情報に対応する画像情報の切り換えをおこなうので、自車両の走行領域が切り換わる場合に、画像情報切換え手段により、音楽情報に対する画像情報の対応付けを正確におこなうことができるという効果を奏する。
【００２９】
また、請求項３に記載の発明によれば、前記音楽対応画像設定手段は、自車両の走行時の走行時間帯を取得する走行時間帯取得手段を備え、当該走行時間帯取得手段により取得された車両の走行時間帯に基づいて、前記音楽情報に対する前記画像情報の再生を制御するので、取得された車両の走行時間帯に基づいて、音楽情報に対する画像情報の対応付けを正確におこなうことができるという効果を奏する。
【００３０】
また、請求項４に記載の発明によれば、前記音楽対応画像設定手段は、自車両の運転者による音声を認識する音声認識手段を備え、当該前記音声認識手段により認識された認識情報に基づいて、前記音楽情報に対する前記画像情報の再生を制御するので、音楽情報認識手段により認識された音楽情報により、音楽情報に対する画像情報の対応付けを正確におこなうことができるという効果を奏する。
【００３１】
この請求項５に記載の発明によれば、前記音楽対応画像設定手段は、前記音楽情報データベース内の音楽情報の再生時に、再生された音楽情報の識別ＩＤを認識する音楽情報認識手段を備え、当該音楽情報認識手段により認識された音楽情報に基づいて、設定された画像情報の再生をおこなうので、音楽情報認識手段により認識された音楽情報により、音楽情報に対する画像情報の対応付けを正確におこなうことができるという効果を奏する。
【００３２】
また、請求項６に記載の発明によれば、前記音楽対応画像設定手段は、自車両の走行領域における渋滞情報を取得する渋滞情報取得手段を備え、当該渋滞情報取得手段により取得された渋滞情報に基づいて、前記音楽情報に対する前記画像情報の再生を制御するので、渋滞情報に基づいて、音楽情報に対する画像情報の対応付けを正確におこなうことができるという効果を奏する。
【００３３】
また、請求項７に記載の発明によれば、前記音楽対応画像設定手段は、自車両の走行時の走行速度を取得する走行速度取得手段を備え、当該走行速度取得手段により取得された自車両の走行速度に基づいて、前記音楽情報に対する前記画像情報の再生を制御するので、自車両の走行速度に基づいて、音楽情報に対する画像情報の対応付けを正確におこなうことができるという効果を奏する。
【００３４】
また、請求項８に記載の発明によれば、音楽情報データベースは、複数の音楽情報のジャンルに基づいて、分類されて格納されるので、ジャンル別の分類を効率良くおこなうことができるという効果を奏する。また、音楽のジャンル別の分類により、画像も分類されるので、よりユーザのイメージで音楽と画像とを対応付けることができるという効果を奏する。
【００３５】
また、請求項９に記載の発明によれば、画像情報データベースは、複数の画像情報のジャンルに基づいて、分類されて格納されるので、ジャンル別の分類を効率良くおこなうことができるという効果を奏する。また、画像のジャンル別の分類により、音楽も分類されるので、よりユーザのイメージで音楽と画像とを対応付けることができるという効果を奏する。
【００３６】
また、請求項１０に記載の発明によれば、走行経路を設定するナビゲーションシステムをさらに備えており、前記走行領域は、ナビゲーションシステムにより設定された走行目的地に基づいた走行領域であるとしているので、ナビゲーションシステムにより設定された走行目的地に基づいて、音楽情報に対する画像情報の対応付けを正確におこなうことができるという効果を奏する。
【発明を実施するための最良の形態】
【００３７】
以下に、添付図面を参照して、この発明に係る車載用オーディオシステムの好適な実施例を詳細に説明する。なお、以下に示す実施例１では、本発明に係る車載用のオーディオ装置を含む車載用オーディオシステムの概要および特徴を説明した後に、この車載用オーディオ装置の構成および機能の詳細を説明する。なお、以下に示す各実施例１〜２によりこの発明が限定されるものではない。
【実施例１】
【００３８】
先ず、図１を用いて、本実施例１に係る車載用オーディオシステムの特徴及び構成を説明する。図１は、本実施例１に係る車載用オーディオシステムの全体構成を示す機能ブロック図である
【００３９】
ここで、本発明に係る車載用オーディオシステムの特徴を概略的に説明すると、ユーザ（自車両の運転者）が選択した音楽情報に対応する画像情報を自動的に抽出し、モニタに表示することにある。また、インターネットなどで取り込んだ画像情報を取得し、その画像情報に対してタイトルやジャンル別の識別ＩＤや認識ＩＤを付与するとともに、複数の音楽情報の中から画像情報に付与されたジャンルと同一の音楽情報を検索し、音楽を聴く際に、検索された画像情報をモニタに表示できるようにしている。さらに、自車両による走行領域、走行時間帯、出勤時、帰宅時などナビゲーションシステム（カーナビ）の利用により取得されたシュチュエーション（運転状態）に基づいて、好みの音楽情報とともに、ユーザにとって最も好適な画像情報をモニタに表示させることにある（シュチュエーション対応制御）。また、本実施例に係る車載用のオーディオシステムは、上記の主たる特徴に関連して以下のような特徴も付加的に有するものである。
【００４０】
つまり、本実施例１では、自車両の走行時間帯や走行領域などのシュチュエーションが変化した際は、音楽画像対応制御部４００（画像切替え処理部４１０）により、画像情報の切り換えを随時おこなえるようにしている。すなわち、これによって、ユーザ（運転者）が車内で音楽を聴く際に、ユーザ（運転者）の運転状況や自車両の走行環境に適切に対応したイメージ通りの画像をモニタ６００に表示することができる。
【００４１】
以下、図１を参照して、車載用オーディオ装置１１０の構成および機能の詳細を説明する。すなわち、図１に示すように、車載用オーディオシステム１００は、車載用オーディオ装置１１０を備えており、この車載用のオーディオ装置１１０は、音楽画像情報処理部２００と、音楽画像情報分類制御部３００と、音楽画像対応制御部４００と、走行領域判定部５００と、音楽情報データベース７１０と、画像情報データベース７２０と、音楽対応画像登録データベース７３０と、撮影画像情報データベース７４０とを備えている。撮影画像情報データベース７４０は、デジカメやビデオカメラなどにより撮影された撮影情報やインターネットやホームページなどからの取得された画像情報を格納する機能を備えている。なお、各データベース７１０〜７３０についての詳細は、後述する。
【００４２】
音楽画像情報処理部２００は、音楽記録再生部２１０と、画像記録再生部２２０とを有し、ラジオ局放送（ＡＭ／ＦＭ）やＣＤなどから音楽を再生および記録／再生する機能およびＤＶＤなどの画像再生メディアから画像情報（映像情報）を記録／再生する機能を備えている。音楽画像情報分類制御部３００は、音楽情報分類部３１０と、画像情報分類部３２０とを有し、複数の音楽情報および画像情報を各ジャンル別（ポップス、ロック・・）や画像種類別（海の画像、山の画像・・）に分類する機能を備えている。具体的には、音楽情報分類部３１０により、音楽の種類名をジャンル別に分類することができ、複数種類記憶（記録）された音楽情報をジャンル別に分類する機能を備えている。また、画像情報分類部３２０は、複数種類記憶（記録）された画像情報をシーン別／ジャンル別に分類する機能を備えており、この画像情報分類部３２０により、音楽を聴きたい時や場所（例えば、出勤中、帰宅中、休日、海や山、デートなど）を分類することができる。この場合の分類は、音楽情報により合わせるように画像情報の種別を分類するものとなる。
【００４３】
音楽画像対応制御部４００は、画像切換え処理部４１０と、画像切換え制御部４２０と、音楽対応画像設定部４３０と、音楽画像リンク部４４０とを有し、自車両の走行時間帯や走行領域などのシュチュエーションが変化した際に、音楽情報と対応する画像情報の切り換えをおこなう機能を備えている。
【００４４】
画像切換え処理部４１０は、画像切換え制御部４２０の制御により走行領域の変化に基づいて、画像を切換える機能を備えている。また、この画像切換え制御部４２０に、タイマ機能を備えるようにし、このタイマによる時間帯の経過（朝、昼、夜）に基づいて、画像情報の切り換えをおこなうこともできる。
【００４５】
音楽対応画像設定部４３０は、ユーザ（運転者）によって選曲された音楽に対応させて画像を設定する機能を備えている。この場合、１曲の音楽に対して、１つの画像ではなく、複数の画像を設定することもできるうえ、モニタ６００に複数の画像を同時に表示することができる。また、１曲の音楽に対応する複数の画像を一定の時間間隔で順次、モニタ６００に表示することもできる。この音楽対応画像設定部４３０により設定された音楽情報に対する画像情報は、音楽対応画像データベース７３０に格納することができる。音楽画像リンク部４４０は、デジタルカメラやデジタルビデオカメラにより撮影されたオリジナル画像や記録画像などをリンクさせて表示させる機能を備えている。
【００４６】
走行領域判定部５００は、走行時間帯判定部５１０と、渋滞情報判定部５２０とを有し、本例では、ナビゲーションシステム８００により取得された走行領域情報、走行時間帯情報、渋滞情報などを取得し、自車両の走行領域を判定する機能を備えている。また、６００は、画像を表示するモニタ、６５０は、スピーカ、６８０は、操作部をそれぞれ示している。モニタ６００には、本発明の特徴である音楽情報に対応した画像情報の表示の他、ナビゲーションシステム８００による走行経路の表示、音楽画像情報管理メニュー画面６１０（図５）を表示させることができる。
【００４７】
ナビゲーションシステム８００は、ＧＰＳ人工衛星との通信によって自車両Ａの現在位置を検出するＧＰＳ受信機８１０を備えており、自車両による走行予定経路（走行予定ルート）を探索し、この自車両による走行予定の道路状況および現在走行している自車両の走行領域を取得する機能を備えている。地図データベース８２０は、詳細な地図情報が格納されたデータベースである。
【００４８】
次いで、音楽情報データベース７１０、画像情報データベース７２０、音楽対応画像登録データベース７３０の詳細について説明する。図２は、音楽情報データベース７１０を示している。同図に示すように、この音楽情報データベース７１０には、設定された識別ＩＤ（０００Ａ１〜０００Ａ４・・・）に対応付けて、複数の音楽情報（××××〜××××）が記憶（格納）されている。この音楽情報データベース７１０は、音楽記録再生部２１０による記録機能により記憶（格納）されるとともに、ユーザ（運転者）による手動操作により設定登録することができる。また、後述する音楽情報認識部２３０（図１６）により認識された音楽のジャンル別に分類して格納することもできる。
【００４９】
図３は、画像情報データベース７２０を示している。同図に示すように、この画像情報データベース７２０には、設定された識別ＩＤ（０００Ｂ１〜０００Ｂ３・・・）に対応付けて、複数の画像情報（海○○、山○×、鳥○△・・・）が記憶（格納）されている。この画像情報データベース７２０は、画像記録再生部２２０による記録機能により記憶（格納）されるとともに、ユーザ（運転者）による手動操作により設定登録することができる。また、後述する画像情報認識部２４０（図１６）により認識された画像のジャンル別に分類して格納することもできる。
【００５０】
図４は、音楽対応画像登録データベース７３０を示している。同図に示すように、この音楽対応画像登録データベース７３０には、複数の音楽情報の識別ＩＤ（０００Ａ１、０００Ａ２、０００Ａ５・・・）に対応付けて、複数の画像情報（海○○、山○×・・・）の識別ＩＤ（０００Ｂ４、０００Ｂ６、０００Ｂ９・・・）が記憶（格納）されている。例えば、音楽情報データベース７１０に格納されている識別ＩＤ「０００Ａ１」の音楽情報に対応する、画像情報は、画像情報データベース７２０に格納されている識別ＩＤ「０００Ｂ４」の画像情報である「海○×」であることを示している。これら各識別ＩＤ毎に対応された音楽情報と画像情報とは、対応ＩＤ（××××１〜××××３・・）として管理されている。
【００５１】
次に、図５を参照して、音楽画像情報管理メニュー画面６１０について説明する。図５は、車載用オーディオ装置１１０の電源スイッチの押下（ＯＮ）時に、モニタ６００に表示される音楽画像情報管理メニュー画面６１０の一例を示している。
【００５２】
同図に示すように、モニタ６００には、音楽画像情報管理メニュー画面６１０として、音楽分類設定アイコン６２０、画像分類設定アイコン６３０、音楽対応画像設定アイコン６４０が設けられており、これら各設定アイコン６２０〜６３０の押下（ＯＮ）により、本例では、３種類（「１．音楽分類設定」、「２．画像分類設定」、「３．音楽画像対応設定」）の管理項目を設定することができる。具体的には、この音楽画像設定管理メニュー画面６１０中から所望の管理項目を選択することにより、モニタ６００上に任意の登録／設定画面を表示させることができる。
【００５３】
具体的に説明すると、例えば、音楽画像設定管理メニュー画面６１０に表示されている「１．音楽分類設定」のアイコン６２０を押下（ＯＮ）することにより、モニタ６００に、次の図６に示す「１．音楽分類設定」に関する画面（音楽情報の一覧）を表示させることができる。
【００５４】
以下、図６〜図１４を参照して、「音楽情報の分類」、「画像情報の分類」、「音楽対応画像情報の設定／登録」についての詳細について説明する。図６は、音楽分類選択画面６３５を示しており、本例では、この音楽分類選択画面６３５に表示される複数の選択項目（タイトル、アルバム、アーティスト、ジャンル）のうちから１種類選択することにより、図７に示す登録設定画面６８０を表示することができる。本例の図７では、図６の音楽分類選択画面６３５からタイトルが選択された設定画面を示している。また、後述する設定手順により、複数のタイトル別（タイトル１、２〜ｎ）に所定の画像情報を対応付けて設定（登録）することができる。
【００５５】
この登録設定画面６８０において、６８１は、複数表示された音楽タイトルを順に設定するための設定ボタン、６８２は、選択した音楽情報のタイトルを設定する設定ボタン、６８３は、画面を前回の画面に戻すための戻り指示ボタン、６８４は、設定ボタン６８２により設定した音楽のタイトルに対応させた画像情報を選択する画像選択ボタン、６８５は、設定された音楽情報に対応する画像情報を確認する画像確認ボタンである。なお、同様に、前記図６においての音楽分類設定画面６３５により、アルバムが選択された場合には、図８に示すアルバム設定画面に移行し、この登録設定画面６８０により、複数のアルバムのうちから、アルバムに対応した画像情報を設定することがきる。
【００５６】
次に、画像分類選択画面６３５ａについて説明する。図９は、画像分類選択画面６３５ａを示しており、本例では、この画像分類選択画面６３５ａに表示される複数の画像情報（風景、植物、動物、キャラクタ、その他、音楽ジャンル）のうちから１種類選択することにより、図１０に示す、画像を登録する登録設定画面６８０を表示することができる。この図１０は、前記図９において、風景が選択された際の、登録設定画面６８０を示している。この図１０に示すように、本例では、サムネール式に複数の風景画像（風景１〜風景６）が表示されており、ユーザ（運転者）はこれら複数の風景画像の中から好みの風景画像を選択し、先に設定した音楽情報と対応付けて登録することができる。ここで、図１０の例では、風景１の画像が選択された例を示している。ここで、この登録設定画面６８０で、所望の画像を選択しているときには、予め選択された画像に対応する音楽を再生することもできる。また、図１１の例では、ＰＯＰＳ１の画像が選択された例を示している。
【００５７】
以下、図１２〜図１３を参照して、音楽対応画像情報の設定／登録について説明する。すなわち、図１２に示すように、先ず、選曲対象となる音楽情報の登録をおこなう。具体的には、タイトル１を選曲対象とする場合、タイトル１のアイコンを反転させ、設定ボタン６８２の押下（ＯＮ）により登録をおこなう。次に、図１３の登録設定画面６８０に移行し、好みの画像となる画像情報を、選択し（本例では、ＰＯＰＳ１の選択）、設定ボタン６８２の押下（ＯＮ）により、登録をおこなう。これにより、音楽対応画像登録データベース７３０には、音楽情報のタイトル１と画像情報のＰＯＰＳ１とが対応付けられて格納されるものとなる。実際には、タイトル１の選曲時に、ＰＯＰＳ１の画像情報がモニタ６００に表示されるものとなる。
【００５８】
（車載用のオーディオシステムの基本制御手順）
次に、本発明の車載用のオーディオシステムおける基本制御手順を説明する。図１４は、本発明に係る車載用のオーディオ制御方法の基本制御手順を説明するフローチャートである。すなわち、本発明に係る車載用のオーディオ制御方法は、大別して（１）音楽／画像分類処理工程（ＳＡ１１０）と、（２）音楽対応画像設定工程と（ＳＡ１２０）と、（３）音楽対応画像登録工程と（ＳＡ１３０）と、（４）走行領域判定工程と（ＳＡ１４０）と、（５）音楽対応画像抽出工程（ＳＡ１５０）と、（６）音楽対応画像表示工程（ＳＡ１６０）とにより構成される。
【００５９】
（１）音楽／画像分類処理工程は、複数の音楽情報および複数の画像情報をジャンル別（ポップス、ロック、民謡など）に分類する処理手順である。本例では、この音楽／画像分類処理工程は、音楽画像設定管理メニュー画面６１０（図５）により、ユーザ（運転者）が設定操作により分類できるようにしているが、音楽情報分類部３１０および画像情報分類部３２０により自動でおこなうこともできる。
【００６０】
（２）音楽対応画像設定工程は、音楽対応画像設定部４３０（図１）により音楽情報と画像情報とを対応させて設定する処理手順である。
【００６１】
（３）音楽対応画像登録工程は、音楽対応画像設定工程により設定された、音楽情報に対応する画像情報を設定し、登録する処理手順である。音楽対応画像登録工程により登録された音楽情報に対応付けられた画像情報は、音楽対応画像登録データベース７３０に記憶（格納）される。この音楽対応画像設定工程により、設定された音楽情報および画像情報は、音楽対応画像登録データベース７３０（図１）に格納（登録）される。なお、本例では、１曲の音楽情報に対して、複数の画像情報を対応させて設定することができる。
【００６２】
（４）走行領域判定工程は、自車両の走行領域を取得する処理手順である。この走行領域判定工程は、ナビゲーションシステム８００によりおこなうことができる。
【００６３】
（５）音楽対応画像抽出工程は、再生された音楽情報に対応して、音楽画像登録データベースに照合するとともに、音楽対応画像登録工程により登録された音楽情報に対応付けられた画像情報識別ＩＤに関連付けられた画像を抽出する処理手順である。
【００６４】
（６）音楽対応画像表示工程は、音楽対応画像抽出工程により抽出された画像をモニタ６００に表示させる処理手順である。
【００６５】
（車載用のオーディオシステムによる車載用のオーディオ制御手順）
以下、図１５を参照して、上述した車載用のオーディオシステムによる車載用のオーディオ制御手順について詳細に説明する。図１５は、本実施例１の車載用のオーディオシステムによる車載用のオーディオ制御手順の詳細を示すフローチャートである。このフローチャートは、車載用オーディオ装置１１０により実行される詳細な制御手順を示している。
【００６６】
すなわち、先ず、運転者が自車両に乗車し、車載用のオーディオ装置１１０の電源（モニタの電源スイッチ）が押下（ＯＮ）されると（ステップＳ１１０）、運転者が好みの音楽（楽曲）を選択する「音楽選曲モード」に移行する（ステップＳ１２０）。次いで、運転者による音楽の選曲（選択）操作待ちとなり（ステップＳ１３０）、運転者により何らかの音楽が選曲された場合には（ステップＳ１３０肯定）、以下、本実施例１による「シュチュエーション対応モード」に移行する（ステップＳ１４０）。
【００６７】
前述したように、「シュチュエーション対応モード」とは、運転状況や自車両の走行領域に対応する画像情報を自動的に判定する手順（モード）である。具体的には、走行領域と走行時間の２つのモードに分岐し、次の、ステップＳ１５０により自車両が走行している走行領域の判定をおこなう（ステップＳ１５０）。次いで、この走行領域の判定により、自車両による走行領域の探索（ステップＳ１６０）をおこない、この探索により自車両の走行領域の取得をおこなう（ステップＳ１７０）。次いで、ステップＳ１７０により取得された自車両の走行領域に基づいて、この走行領域に対応する画像情報の探索をおこなう（ステップＳ１８０）。ここで、前述したように、ステップＳ１６０による走行領域の探索はナビゲーションシステム８００を利用することによりおこなわれる。
【００６８】
以下、このステップＳ１８０の探索により、走行領域に対応した画像を取得し（ステップＳ１８５）、この取得した画像情報の抽出をおこなう（ステップＳ１８６）。以下、ステップＳ１８６の処理により抽出された画像に基づいて、モニタ６００に表示する表示画像の設定をおこなう（ステップＳ１８８）。このステップＳ１８８により設定された画像は、登録されるとともに、音楽対応画像登録データベース７３０（図１）に格納される（ステップＳ１９０）。以下、設定された画像をモニタ６００に表示し（ステップＳ１９５）、全ての処理を終了する。
【００６９】
ここで、ステップＳ１４０による「シュチュエーション対応モード」では、前述した走行領域の判定処理とともに、走行時間帯の判定処理によりモニタ６００に表示する画像を設定することもできる。すなわち、ステップＳ１４０の判定により、走行時間の判定に移行し、ステップＳ１５１により、走行時間帯の判定をおこない（ステップＳ１５１）、走行時間帯の探索（ステップＳ１５２）、走行時間帯の取得（ステップＳ１５３）、走行時間帯に対応する画像情報の探索（ステップＳ１５４）を順次おこない、以下では、前述したステップＳ１８５〜ステップＳ１９５の処理手順により、走行時間帯の画像情報を音楽情報に対応させてモニタ６００に表示する（エンド）。
【００７０】
ここで、前述したように、自車両による運転状態などに関わるシュチュエーションは、走行領域、走行時間帯以外にも、出勤時、帰宅時などナビゲーションシステム（カーナビ）の利用により取得される複数のパターンが想定されることから、これら複数のシュチュエーション（運転状態）に基づいて、画像情報の登録を適宜おこなうことにより、好みの音楽情報とともに、ユーザにとって最も好適な画像情報をモニタ６００に表示させることができる。
【００７１】
なお、前述したように、本発明では、画像切換え処理部４１０を備えているため、例えば、自車両の走行中に走行領域が変化した場合には、変化後の走行領域に対応する画像に切換えをおこなうことができる。この場合、複数の画像を切換えて、音楽の再生時間内に一巡した場合には、繰り返して画像を切換えてモニタ６００に表示することもできる。
【００７２】
以上説明したように、本発明の実施例１に係る車載用のオーディオシステムによれば、ユーザ（自車両の運転者）が選択した音楽情報に対応する適切な画像情報（映像）を自動的に抽出し、モニタ６００に表示することができ、さらに、自車両による走行時間帯、出勤時、帰宅時などナビゲーションシステム（カーナビ）の利用により取得されたシュチュエーション（運転状態）に基づいて、音楽情報に対応する画像情報を設定するので、ユーザにとって最も好適な画像情報をモニタ６００に表示させることができる。
【実施例２】
【００７３】
次に、本発明の車載用のオーディオシステムに係る実施例２について説明する。図１６は、実施例２における車載用のオーディオ装置１１０を含む車載用のオーディオシステム１００ａの全体機能ブロック図を示している。なお、以下の説明において、前述した実施例１と同様の構成要素については、同一の符号を付して、その詳細な説明は省略する。なお、この本実施例２において、前述した実施例１との相違は、音楽画像情報処理部２００ａを構成する各構成要素以外は、前述した実施例１と同様であるため、この点において、符号が一致する詳細な説明は省略する。
【００７４】
ここで、実施例２の特徴は、音楽情報に関するジャンルを自動的に認識することにより、音楽情報のキーワードの判定により、この音楽情報に適切なイメージを表す画像情報を自動的にモニタ６００に表示することに特徴がある。このため、音楽画像情報処理部２００ａには音楽情報認識部２３０と画像情報認識部２４０とを備えている。
【００７５】
音楽情報認識部２３０は、車載用のオーディオ装置１１０により再生された音楽情報を認識する機能を備えている。具体的には、音楽情報認識部２３０によりユーザ（運転者）により選曲された音楽の中から楽曲のジャンル（ポップス、歌謡曲、楽曲のテーマ）などに関わるキーワードを抽出し、選曲された音楽情報をジャンル別に判定する機能を備えている。ここで、ラジオ（ＡＭ／ＦＭ放送）の音楽番組などにより聞いている場合、登録モード（図示せず）の押下（ＯＮ）により、好みとなる音楽を録音するとともに、音楽情報認識部２２０により録音した楽曲によるキーワードの認識により、自動的にジャンル別に分類し画像情報データベース７２０に格納することができる。また、画像情報認識部２３０は、画像情報を自動的に認識し、インターネット、デジタルカメラ、ビデオカメラなどにより取得した画像を分類して画像情報データベース７２０に格納する機能を備えている。
【００７６】
すなわち、図１７のフローチャートに示すように、先ず、運転者が自車両に乗車し、車載用のオーディオ装置１１０の電源（モニタの電源スイッチ）が押下（ＯＮ）されると（ステップＳ１１０）、運転者が好みの音楽（楽曲）を選択する「音楽選択モード」に移行する（ステップＳ１２０）、以下、運転者による音楽選曲（選択）操作待ちとなり（ステップＳ１３０）、運転者により音楽が選択された場合には（ステップＳ１３０肯定）、次いで、選曲された音楽情報の認識をおこなう音楽情報認識モードに移行する（ステップＳ１３５）。
【００７７】
前述したように、この音楽情報認識モードは、音楽情報認識部２３０によりユーザ（運転者）により選曲された音楽の中から楽曲のジャンル（ポップス、歌謡曲、楽曲のテーマ）などに関わるキーワードを抽出し、選曲された音楽情報をジャンル別に判定する処理モードである。すなわち、次のステップＳ１４５により、選曲した音楽情報から画像設定用のキーワードの探索をおこない（ステップＳ１４５）、このキーワードの抽出により（ステップＳ１５５）、選曲された音楽情報（楽曲）のテーマの判定をおこなう（ステップＳ１６５）。このステップＳ１４５〜ステップＳ１６５を具体的に説明すると、ユーザ（運転者）により選択された音楽が海などをテーマにした楽曲であった場合には、楽曲の歌詞に「海」、「波」などの歌詞が登場することになる。このため、この点に着目し、例えば、音楽情報認識部２３０によりキーワードが「海」である音楽が選曲された場合には、選曲された音楽を海をテーマとする曲として判定することができる。
【００７８】
以下、ステップＳ１６５の判定により、音楽情報のテーマを判定し、この判定されたテーマ（キーワード）に基づいて、キーワードと関連する画像情報を画像情報データベース７２０から探索し（ステップＳ１７５）、この探索により画像情報の抽出をおこない（ステップＳ１８６）、以下、ステップＳ１８６の処理により抽出された画像に基づいて、モニタ６００に表示する表示画像の設定をおこなう（ステップＳ１８８）。このステップＳ１８８により設定された画像は、登録されるとともに、音楽対応画像登録データベース７３０（図１）に格納される（ステップＳ１９０）。以下、設定された画像をモニタ６００に表示し（ステップＳ１９５）、全ての処理を終了する。
【００７９】
ここで、本実施例２において、過去に遭遇した画像情報を、画像情報認識部２３０により認識し、自車両の走行領域や走行時間帯などのキーワードに基づいて、再度、モニタ６００に表示する機能を備えるようにしてもよい。また、音楽を再生するスピーカだけでなく、音声を取り込むマイクを装備し、ユーザ（運転者）の音声により、好みとなる画像情報をモニタ６００に表示するようにしてもよい。
【００８０】
以上説明したように、本発明の実施例２に係る車載用のオーディオシステムによれば、音楽画像情報処理部２００ａは、音楽情報を認識する音楽情報認識部２３０と画像情報を認識する画像情報認識部２４０とを備えているので、これら音楽情報認識部２３０および画像情報認識部２４０により認識された認識情報に基づいて、キーワードを探索／抽出することにより、音楽情報に対する画像情報の再生を制御するので、ユーザ（運転者）が車内で音楽を聴く際に、運転状況に適切に対応したイメージ通りの画像を、より正確にモニタ６００に表示することができる。
【産業上の利用可能性】
【００８１】
以上のように、本発明に係る車載用オーディオシステムは、自動車に搭載される車載用のオーディオシステムに有用であり、特に、音楽視聴時のイメージ通りの画像をモニタに表示することができる車載用のオーディオシステムに適している。
【図面の簡単な説明】
【００８２】
【図１】本発明の実施例１に係る車載用のオーディオシステムの概要構成を示す機能ブロック図である。
【図２】音楽情報データベースの構成の一例を示す図である。
【図３】画像情報データベースの構成の一例を示す図である。
【図４】音楽対応画像登録データベースの構成の一例を示す図である。
【図５】音楽画像情報管理メニュー画面を示す図である。
【図６】音楽分類選択画面の一例を示す図である。
【図７】登録設定画面の一例を示す図である（タイトル設定）。
【図８】登録設定画面の一例を示す図である（アルバム設定）。
【図９】画像分類選択画面の一例を示す図である。
【図１０】登録設定画面の一例を示す図である（風景設定）。
【図１１】登録設定画面の一例を示す図である（ＰＯＰＳ１設定）。
【図１２】登録時の音楽分類選択画面の一例を示す説明図である。
【図１３】登録時の登録設定画面の一例を示す説明図である。
【図１４】車載用のオーディオシステムにおける基本の制御手順を示すフローチャートである。
【図１５】実施例１に係る車載用のオーディオシステムの制御手順を示すフローチャートである。
【図１６】本発明の実施例２に係る車載用のオーディオ装置の概要構成を示す機能ブロック図である。
【図１７】実施例２に係る車載用のオーディオシステムの制御手順を示すフローチャートである。
【符号の説明】
【００８３】
１１０  車載用オーディオ装置
２００、２００ａ  音楽画像情報処理部
２１０  音楽記録再生部
２２０  画像記録再生部
２３０  音楽情報認識部
２４０  画像情報認識部
３００  音楽画像情報分類制御部
３１０  音楽情報分類部
３２０  画像情報分類部
４００  音楽画像対応制御部
４１０  画像切換え処理部
４２０  画像切換え制御部
４３０  音楽対応画像設定部
４４０  音楽画像リンク部
５００  走行領域判定部
５１０  走行時間帯判定部
５２０  渋滞情報判定部
６００  モニタ
６５０  スピーカ
６１０  音楽画像設定管理メニュー画面
６２０  音楽分類設定アイコン
６３０  画像分類設定アイコン
６３５  音楽分類選択画面
６３５ａ  画像分類選択画面
６４０  音楽対応画像設定アイコン
６８０  操作部
６８１  登録設定画面
６８２  設定ボタン
６８３  戻り指示ボタン
６８４  画像選択ボタン
６８５  画像確認ボタン
７１０  音楽情報データベース
７２０  画像情報データベース
７３０  音楽対応画像登録データベース
７４０  撮影画像情報データベース
８００  ナビゲーションシステム
８１０  ＧＰＳ受信機
８２０  地図データベース
【図１】
2005339698.tif 000003
【図２】
2005339698.tif 000004
【図３】
2005339698.tif 000005
【図４】
2005339698.tif 000006
【図５】
2005339698.tif 000007
【図６】
2005339698.tif 000008
【図７】
2005339698.tif 000009
【図８】
2005339698.tif 000010
【図９】
2005339698.tif 000011
【図１０】
2005339698.tif 000012
【図１１】
2005339698.tif 000013
【図１２】
2005339698.tif 000014
【図１３】
2005339698.tif 000015
【図１４】
2005339698.tif 000016
【図１５】
2005339698.tif 000017
【図１６】
2005339698.tif 000018
【図１７】
2005339698.tif 000019